(57)【特許請求の範囲】
【請求項１】
周囲に陸屋根が設けられ、勾配屋根パネルを棟側束と柱状の桁側束とで建物本体に支持する勾配屋根の支持構造であって、
前記建物本体に前記棟側束と前記桁側束とを互いに対向して立設し、
前記棟側束と前記桁側束との頂部に前記勾配屋根パネルを取り付け、
前記桁側束の頂部に前記勾配屋根の外縁を配置し、
前記勾配屋根パネルにかかる荷重を受けるブレースを前記棟側束と前記桁側束との間に設け、
前記ブレースは、前記棟側束の上部と前記桁側束の下部とを連結する第１ブレースと、
前記棟側束の下部と前記桁側束の上部とを連結する第２ブレースとを備えた
ことを特徴とする勾配屋根の支持構造。
【請求項２】
請求項１に記載の勾配屋根の支持構造において、
前記建物本体は複数の建物ユニットを組み合わせて建てられ、
この建物ユニットは天井梁、床梁及び柱から略箱状の骨組みを備え、
前記棟側束は前記天井梁に設けられたことを特徴とする勾配屋根の支持構造。
【請求項３】
請求項２に記載の勾配屋根の支持構造において、
前記棟側束は隣り合う前記建物ユニットの境界部分を跨いで配置されていることを特徴とする勾配屋根の支持構造。
【請求項４】
請求項１から３のいずれかに記載の勾配屋根の支持構造において、
前記棟側束と前記桁側束とは、ぞれぞれ、束本体と、この束本体の下部に設けられた支持プレートと、前記束本体に設けられ前記屋根パネルの裏面を受ける受け部と、前記束本体に設けられ前記ブレースを係止するブレース係止部とを備えて構成されたことを特徴とする勾配屋根の支持構造。
【発明の詳細な説明】
【０００１】
【発明の属する技術分野】
本発明は、勾配屋根パネルを束で建物本体に支持するための勾配屋根の支持構造に関するものである。
【０００２】
【背景技術】
従来より、建物には、切妻屋根、寄棟屋根等の種々の勾配屋根を有するものがある。
例えば、切妻屋根は、大棟の両側にのみ傾斜屋根面を有する屋根であり、寄棟屋根は、大棟から４方向に向かう傾斜屋根面を有する屋根である。
従来では、勾配屋根を施工するにあたり、建物本体に束を立設し、この束で勾配屋根パネルを支持することが行われている（特開平8-284300号）。
【０００３】
特開平8-284300号で示される従来例は図５及び図６に示されている。図５及び図６（Ａ）において、建物本体１００の上部棟側には棟側束１０１が立設され、桁側に桁側束１０２が設けられている。
これらの束１０１，１０２の頂部には屋根パネル１０３の裏面が支持固定されており、棟側束１０１の建物本体１００との下端固定部１０１Ｂ、その上端の屋根パネル１０３との支持部１０１Ａ及び桁側束１０２から形成されるトラス構造（図６（Ｂ）参照））で屋根パネル１０３の荷重が支持される。
【０００４】
従来例は、屋根パネル１０３の下端部１０３Ａが建物本体１００の桁より突出して形成された切妻屋根構造であり、そのため、棟側束１０１は建物本体１００の略中央部に取り付けられ、その形状も長尺状であるが、桁側束１０２は、建物本体１００の外縁に取り付けられ、かつ、その形状も短寸形である。
【０００５】
【発明が解決しようとする課題】
しかしながら、切妻屋根等の勾配屋根であっても、デザインの多様化により従来例で示される形状以外にも種々の形状のものが考えられる。
例えば、建物本体の略中央部に置かれる切妻屋根があり、この場合、桁側束は建物本体の内側において比較的で高い位置で屋根パネルを受けることになる。
また、従来形状の切妻屋根であっても、建物本体との位置関係から桁側束を建物本体の外縁ではなく、内側に配置したいこともある。この場合でも、桁側束は建物本体の内側において比較的で高い位置で屋根パネルを受けることになる。
【０００６】
桁側束が高い位置で屋根パネルを支持するためには、桁側束も長尺状に形成しなければならない。
桁側束が長尺状に形成されると、屋根パネルを棟側束の上端部と下端部並びに桁側束の上端部と下端部との４カ所で支持することになり、図６（Ｂ）で示されるトラス構造にならず、安定して屋根パネルの荷重を支持できないという不都合がある。
【０００７】
本発明の目的は、束の建物本体に対する取付位置にかかわらず、勾配屋根パネルをトラス構造で安定支持できる勾配屋根の支持構造を提供することにある。
【０００８】
【課題を解決するための手段】
そのため、本発明は、勾配屋根パネルを支持する桁側束と棟側束との間にブレースを設けて前記目的を達成しようとするものである。具体的には、本発明の勾配屋根の支持構造は、添付の図面を参照して説明すると、周囲に陸屋根であって、かつ歩行スペースとされる歩行スペース１Ｂが設けられ、勾配屋根パネル２０を棟側束２１と柱状の桁側束２２とで建物本体１に支持する勾配屋根の支持構造であって、前記建物本体１に前記棟側束２１と前記桁側束２２とを互いに対向して立設し、前記棟側束２１と前記桁側束２２との頂部に前記勾配屋根パネル２０を取り付け、前記桁側束２２の頂部に前記勾配屋根の外縁を配置し、前記勾配屋根パネル２０にかかる荷重を受けるブレース３０，３１を前記棟側束２１と前記桁側束２２との間に設けたことを特徴とする。
【０００９】
この構成の発明では、棟側束２１、桁側束２２及びブレース３０，３１からトラス構造４１，４２が形成され、勾配屋根パネル２０の傾斜面方向に生じる荷重が前記棟側束２１と前記桁側束２２との間に設けられるブレース３０，３１により支持されることになるので、屋根パネル２０の荷重の支持が安定する。
【００１０】
また、この構成では、異なる方向から勾配屋根パネルに荷重がかかっても、互いに交差する第１及び第２のブレース３０，３１で確実に受けることができる。
【００１１】
さらに、本発明では、前記建物本体１は複数の建物ユニット１０を組み合わせて建てられ、この建物ユニット１０は天井梁１２、床梁及び柱１１から略箱状の骨組み１３を備え、前記棟側束２１は前記天井梁１２に設けられた構成が好ましい。
この構成では、骨組み１３である天井梁１２に棟側束２１が支持されているため、棟側束２１に勾配屋根パネル２０から大きな鉛直荷重がかかっても、その荷重を束２１，２２及び建物ユニット１０の骨組み１３全体で安定的に支持することができる。
【００１２】
また、本発明は、前記棟側束２１は隣り合う前記建物ユニット１０の境界部分を跨いで配置されている構成が好ましい。
この構成では、棟側束２１にかかる荷重が隣り合う複数の建物ユニット１０に分散されるので、１個の建物ユニット１０の骨組み１３が負担する勾配屋根パネル２０の荷重が少なくなる。
【００１３】
さらに、前記棟側束２１と前記桁側束２２とは、ぞれぞれ、束本体２１Ａ、２２Ａと、この束本体２１Ａ、２２Ａの下部に設けられた支持プレート２１Ｃ、２２Ｃと、前記束本体２１Ａ、２２Ａに設けられ前記屋根パネル２０の裏面を受ける受け部２１Ｂ、２２Ｂと、前記束本体２１Ａ、２２Ａに設けられ前記ブレース３０，３１を係止するブレース係止部２１Ｄ、２２Ｄとを備えて構成された構成が好ましい。
この構成では、棟側束２１及び前記桁側束２２の構造を簡易にできる。
【００１４】
【発明の実施の形態】
以下に本発明の実施形態を図面に基づいて説明する。
図１及び図２には本発明の第１の実施形態の全体構成が示され、図３（Ａ）には本実施形態の要部が示されている。
全体構成を示す図１及び図２において、第１の実施形態の建物は、基礎９０の上に施工された建物本体１の上に切妻屋根２が設けられている。
建物本体１は、複数の建物ユニット１０を組み合わせて建てられるものであり、図３（Ａ）を参照すると、建物ユニット１０は、柱１１、天井梁１２及び図示しない床梁から略箱状に形成された骨組み１３に外壁材や内装材を取り付けて構成されている。
各建物ユニット１０は工場にて製造され、建設現場までトラックで搬送された後、組み合わせて建物本体１が施工される。建設現場では、隣り合う建物ユニット１０は図示しないボルト等により互いに連結固定されている。
【００１５】
建物本体１の上面には上部平面部１Ａが形成され、この上部平面部１Ａの略中央部分には切妻屋根２が置かれている。
上部平面部１Ａのうち切妻屋根２の周囲は陸屋根部であって、かつ、歩行スペース１Ｂとされている。つまり、歩行スペース１Ｂは、切妻屋根２を囲うように口形に形成されている。歩行スペース１Ｂは緩やかな水勾配を有するとともに、適宜な防水処理が施されている。
【００１６】
切妻屋根２は、勾配屋根パネル２０と、この勾配屋根パネル２０の裏面をそれぞれ支持する棟側束２１及び桁側束２２とを備えて構成される。
棟側束２１は建物本体１の棟側（中央側）に複数配置され、桁側束２２は建物本体１の桁側（外縁側）に複数配置されている。これらの棟側束２１と桁側束２２は、互いに対向して立設されている。
棟側束２１は、垂直方向に立設した略柱状の棟側束本体２１Ａと、この棟側束本体２１Ａの上端部に形成され屋根パネル２０の裏面を受ける受け部２１Ｂと、棟側束本体２１Ａの下部に設けられ天井梁１２に取り付けられる支持プレート２１Ｃと、棟側束本体２１Ａの桁側に上下に設けられ以下に詳述するブレース３０，３１をそれぞれ係止する係止部２１Ｄ、２１Ｄとを備えている。
【００１７】
支持プレート２１Ｃは、隣り合う建物ユニット１０の背中合わせに配置された断面コ字形の天井梁１２の上辺部分１２Ｄ、１２Ｅ上に配置され、ボルト３３，３３によって固定される。したがって、棟側束２１は隣り合う建物ユニット１０の境界部分、すなわち、天井梁１２を跨いで配置されている。
受け部２１Ｂは屋根パネル２０を受ける屋根パネル支持部２４を有し、この屋根パネル支持部２４は、屋根パネルを棟側束２１に固定するボルト２５等の固定手段が貫通する挿通孔（図示せず）が設けられている。
【００１８】
桁側束２２は、垂直方向に立設した桁側束本体２２Ａと、この桁側束本体２２Ａの上端部に形成され棟側束２１の屋根パネル支持部２４とともに屋根パネル２０の裏面を受ける受け部２２Ｂと、桁側束本体２２Ａの下部に設けられ天井梁１２に取り付けられる支持プレート２２Ｃと、桁側束本体２２Ａの桁側に上下に２カ所設けられブレース３０，３１の他端を係止する係止部２２Ｄとを備えて構成されている。
桁側束本体２２Ａは、棟側束本体２１Ａより短い寸法の略柱状に形成されている。
【００１９】
受け部２２Ｂは、屋根パネル２０を受ける屋根パネル支持部２７を有し、この屋根パネル支持部２７には、屋根パネル２０を桁側束２２に固定するボルト２８等の固定手段が貫通する挿通孔（図示せず）が設けられている。
下方で桁側束本体２２Ａを支持し固定する支持プレート２２Ｃにもボルト２９等の固定手段が貫通する挿通孔が設けられている。
このように棟側束２１と桁側束２２との頂部で受け部２１Ｂ、２２Ｂを介して勾配屋根パネル２０が取り付けられており、ブレース３０は、棟側束２１の上部と桁側束２２の下部とを連結する第１ブレース３０であり、ブレース３１は、棟側束２１の下部と桁側束２２の上部とを連結する第２ブレース３１である。これらのブレース３０，３１は、その引張力を調整するために、図示しないターンバックルを設けてもよい。
【００２０】
ここで、図３（Ｂ）に示される通り、第１ブレース３１、天井梁１２及び桁側束２２によって第１のトラス構造４１が形成され、第２ブレース３０、天井梁１２及び棟側束２１によって第２のトラス構造４２が形成されている。
従って、棟側束２１と桁側束２２と天井梁１２と屋根パネル２０によって形成される形状は、ほぼ台形状であるものの、実際には、第１のトラス構造４１と第２のトラス構造４２とによって勾配屋根パネル２０にかかる荷重を受けることができる。
【００２１】
従って、本実施形態によれば、次の作用効果を奏することができる。
（１）建物本体１に棟側束２１と桁側束２２とを互いに対向して立設し、棟側束２１と桁側束２２との頂部に勾配屋根パネル２０を取り付け、棟側束２１と桁側束２２との間にブレース３０，３１を設けて勾配屋根パネル２０にかかる荷重を受けるようにしたので、このブレース３０，３１によって形成される２つのトラス構造４１，４２により、勾配屋根パネル２０の傾斜面方向に生じる荷重が支持されることになる。そのため、屋根パネル２０の荷重の安定した支持が可能になるとともに、種々の形状の屋根に本発明の屋根の支持構造を適用することにより通常の切妻屋根の支持構造と同様の剛性を得ることができる。
【００２２】
（２）ブレースは、棟側束２１の上部と桁側束２２の下部とを連結する第１ブレース３０と、棟側束２１の下部と桁側束２２の上部とを連結する第２ブレース３１と備えて構成されているため、棟側束２１、桁側束２２及びブレース３０，３１によって互いに交差する第１のトラス構造４１と第２のトラス構造４２が形成されるので、勾配屋根パネル２０に異なる方向から荷重がかかっても、その荷重を確実に受けることができる。
【００２３】
（３）建物ユニット１０の骨組み１３である天井梁１２に棟側束２１を設けたので、棟側束２１が天井梁１２に直接支持されることになり、棟側束２１に勾配屋根パネル２０の大きな鉛直荷重がかかっても、棟側束２１と建物ユニット１０の骨組み全体とでその荷重を分散しながら安定的に支持することができる。
（４）建物本体１は複数の建物ユニット１０から構成されたので、これらの建物ユニット１０を工場で製造し、建設現場で組み合わせることで、建物本体１の現場施工の迅速化が図れる。
【００２４】
（５）棟側束２１は互いに隣り合う建物ユニット１０の境界部分を形成する天井梁１２を跨いで配置されているので、棟側束２１にかかる荷重が隣り合う複数の建物ユニット１０，１０に分散され、１個の建物ユニット１０の骨組み１３が負担する勾配屋根パネル２０の荷重が少なくなる。従って、この荷重を支持するための特別の支持構造を新たに備える必要がない。
【００２５】
（６）棟側束２１と桁側束２２とは、ぞれぞれ、束本体２１Ａ及び２２Ａと、この束本体２１Ａ及び２２Ａの下部に設けられた支持プレート２１Ｃ、２２Ｃと、束本体２１Ａ及び２１Ｂに設けられ屋根パネル２０の裏面を受ける受け部２１Ｂ、２２Ｂと、束本体２１Ａ及び２２Ａに設けられブレース３０，３１を係止するブレース係止部２１Ｄ、２２Ｄとを備えているので、棟側束２１と桁側束２２とを簡単な構造とすることができる。
そのため、製造上有利であり、棟側束２１と桁側束２２とを立設したのち、ブレース係止部２１Ｄ、２２Ｄにブレース３０，３１を取り付けるだけで高い剛性を備えたトラス構造を構成することができる。
【００２６】
次に、本発明の第２の実施形態を図４に基づいて説明する。図４には、本発明の係る第２の実施形態の勾配屋根の支持構造が示されている。なお、第２の実施形態において、前記第１の実施形態と同一もしくは同様の構成部材には、同一の符号を用い、説明を省略あるいは簡略にする。
第２の実施形態と前述した第１の実施形態との大きな違いは、棟側束２１、桁側束２２を建物ユニット１０の天井梁１２に直接立設するのではなく、天井梁１２の上に小屋パネル６０を配置し、このパネル６０に棟側束２１及び桁側束２２を立設する点である。
【００２７】
小屋パネル６０は、その平面形状が建物ユニット１０の平面形状と同じであり、建物ユニット１０の上に図示しないボルト等で連結固定されている。
小屋パネル６０は、互いに対向した断面コ字形の枠部６０Ａ，６０Ｂを備え、隣り合う小屋パネル６０の背中合わせに配置された断面コ字形の枠部６０Ａ，６０Ｂの上辺部分６１Ｄ、６１Ｅ上に支持プレート２１Ｃがボルト６３によって固定されている。
【００２８】
棟側束２１は隣接した建物ユニット１０の上のパネル６０の境界部分を跨いで配置されている。
桁側束本体２２Ａを支持し固定する支持プレート２２Ｃに挿通孔（図示せず）が設けられ、ボルト２９等の固定手段によって、小屋パネル６０に取り付けられている。
棟側束２１、桁側束２２による屋根パネル２０の支持固定の方法は、第１の実施形態による方法と同様であるので、説明を省略する。
【００２９】
このような第２の実施形態によれば、第１の実施形態における効果（１）（２）（４）から（６）に加えて次のような効果が得られる。
（７）すなわち、天井梁１２の上に小屋パネル６０を配置し、この小屋パネル６０に棟側束２１及び桁側束２２を立設するようにしたので、支持すべき屋根の荷重に対する剛性がさらに増大し、大きな屋根パネル２０の荷重を安定して支持することができる。
【００３０】
なお、本発明は前述の実施の形態に限定されるものではなく、本発明の目的を達成できる範囲での変形、改良等は本発明に含まれるものである。
例えば、前記各実施形態では屋根２を切妻屋根としたが、本発明では、勾配屋根であれば、この構成に限定されるものではなく、例えば、寄棟屋根であってもよい。
また、建物本体１を複数の建物ユニット１０を組み合わせて構成したが、建物本体の構成は軸組工法、パネル工法、在来工法で施工されるものであってもよい。
【００３１】
さらに、前記各実施形態では、ブレースを、棟側束２１の上部と桁側束２２の下部とを連結する第１ブレース３０と、棟側束２１の下部と桁側束２２の上部とを連結する第２ブレース３１とから構成したが、本発明では、いずれか一方配置すればよく、あるいは、桁側束と棟側束との間に第３の束を設け、この第３の束と棟側束の間、並びに、第３の束と桁側束との間でブレースを設ける構造でもよい。
【００３２】
【発明の効果】
以上に述べたように、本発明によれば、次のような効果がある。すなわち、請求項１に記載の本発明によれば、建物本体に棟側束と前記桁側束とを互いに対向して立設し、前記棟側妻と前記桁側束との頂部に前記勾配屋根パネルを取り付け、前記桁側束の頂部に前記勾配屋根の外縁を配置し、前記勾配屋根パネルにかかる荷重を受けるブレースを前記棟側束と前記桁側束との間に設けたことにより、このブレースによって形成される２つのトラス構造により勾配屋根パネルの傾斜面方向に生じる荷重が支持されることになるので、屋根パネルの荷重の安定した支持が可能になるとともに、通常の切妻屋根の支持構造と同様の剛性を得ることができる。
【００３３】
さらに、前記ブレースは、前記棟側束の上部と前記桁側束の下部とを連結する第１ブレースと、前記棟側束の下部と前記桁側束の上部とを連結する第２ブレースとを備えた構成としたから、棟側束、桁側束及びブレースによって互いに交差する第１のトラス構造と第２のトラス構造が形成されるので、勾配屋根パネルに異なる方向から荷重がかかっても、その荷重を確実に受けることができる。
【００３４】
請求項２記載の本発明によれば、請求項１記載の発明の構成に加えて、前記建物本体は複数の建物ユニットを組み合わせて建てられ、この建物ユニットは天井梁、床梁及び柱から略箱状の骨組みを備え、前記棟側束は前記天井梁に設けられた構成としたから、建物ユニット骨組みである天井梁によって棟側束が直接支持されることになるため、棟側束に勾配屋根パネルの大きな鉛直荷重がかかっても、その荷重を棟側束と建物ユニットの骨組み全体とで荷重を分散しながら安定的に支持することができる。
【００３５】
請求項３記載の本発明によれば、請求項２記載の発明の構成に加えて、棟側束は隣り合う前記建物ユニットの境界部分を跨いで配置されている構成にしたから、棟側束にかかる荷重が隣り合う複数の建物ユニットにそれぞれ分散され、１個の建物ユニットの骨組みが負担する勾配屋根パネルの荷重を低減することができる。したがって、この荷重を支持するための特別の支持構造を新たに備える必要がない。
【００３６】
請求項４記載の本発明によれば、請求項１から３のいずれかに記載の発明の構成に加えて、棟側束と前記桁側束とは、ぞれぞれ、束本体と、この束本体の下部に設けられた支持プレートと、前記束本体に設けられ前記屋根パネルの裏面を受ける受け部と、前記束本体に設けられ前駆ブレースを係止するブレース係止部とを備えた構成としたから、棟側束と桁側束とを簡単な構造とすることができ、製造上有利であり、棟側束と桁側束とを立設したのち、ブレース係止部にブレースを取り付けるだけで高い剛性を備えたトラス構造を構成することができる。
【図面の簡単な説明】
【図１】本発明の第１の実施形態が適用される建物全体を示す概略斜視図である。
【図２】第１の実施形態の建物本体の平面図である。
【図３】（Ａ）は、第１の実施形態の側面図であり、（Ｂ）は、第１の実施形態によって形成される第１のトラス構造と、第２のトラス構造とを示す図である。
【図４】本発明の第２実施形態を示すもので、図３（Ａ）に相当する図である。
【図５】従来例を示すもので、図２に対応する図である。
【図６】図６（Ａ）は、従来例を示すもので、図３（Ａ）に対応した図であり、（Ｂ）は、従来例を示すもので、図３（Ｂ）に対応した図である。
【符号の説明】
１        建物本体
１０      建物ユニット
１１      柱
１２      天井梁
１３      骨組み
２０      勾配屋根パネル
２１      棟側束
２２      桁側束
30,31     ブレース
41,42     トラス構造
21A,22A   束本体
２１Ｃ    支持プレート
21B,22B   受け部
21D,22D   ブレース係止部
【図１】
0004585675.tif 000002
【図２】
0004585675.tif 000003
【図３】
0004585675.tif 000004
【図４】
0004585675.tif 000005
【図５】
0004585675.tif 000006
【図６】
0004585675.tif 000007